(57)【要約】【課題】  商品の巾に合わせて商品前出し陳列用具の商品の収納区画の巾を適切に無段階に任意に設けることができるようにした商品前出し陳列用具並びにこれを用いた商品前出し陳列装置を提供する。【解決手段】  商品前出し陳列用具５は、長手方向に２つの摺動部１６ａ，１６ｂを持つレール１０と、基部２２が前記レール１０に係合しながら該レール１０から直角方向に突出する押部２３を持つ押し板１３と、この押し板１３を前記レール１０の一端方向へ引っ張るばね１４と、前記レール１０の両端に装着されるクリップ２９とより成る。そして、この商品前出し陳列用具５が、収納されるケース２の前後壁３ａ，３ｃに該商品前出し陳列用具５のクリップ２９，２９が引っ掛けられて使用される商品前出し陳列装置１が構成される。【選択図】        図１
0003115289.tif 000002
【実用新案登録請求の範囲】
【請求項１】
長手方向に２つの摺動部を持つレールと、基部が前記レールに係合し該レールから直角方向に突出する押部を持つ押し板と、この押し板を前記レールの一端方向へ引っ張るばねと、前記レールの両端に設けられるクリップとより成ることを特徴とする商品前出し陳列用具。
【請求項２】
長手方向に２つの摺動部を持つレールと、基部が前記レールに係合し該レールから直角方向に突出する押部とばね収納室とを持つ押し板と、前記ばね収納室内に収納され、その先端が前記レール端側に取付られ、前記押し板を引っ張るばねと、前記レールの両端に装着されるクリップとより成ることを特徴とする商品前出し陳列用具。
【請求項３】
前記クリップは、商品前出し陳列用具が収納されるケースの前後壁に取付られる引掛部を備えていることを特徴とする請求項１又は２記載の商品前出し陳列用具。
【請求項４】
前記引掛部を構成する逆Ｕ字状に形成の部材の一部に弾性作用を持たせたことを特徴とする請求項３記載の商品前出し陳列用具。
【請求項５】
前記クリップは、前記引掛部と前記レールとの間に弾性作用を持つ弾性手段を設けたことを特徴とする請求項１又は２記載の商品前出し陳列用具。
【請求項６】
前記弾性手段は、弾性素材で作られ、中空の部材であることを特徴とする請求項５記載の商品前出し陳列用具。
【請求項７】
前記弾性手段は、コイルばねであることを特徴とする請求項５記載の商品前出し陳列用具。
【請求項８】
前記弾性手段は、前記引掛部に複数段折り曲げた部材を付加して形成したことを特徴とする請求項５記載の商品前出し陳列用具。
【請求項９】
前記請求項１又は２に記載の商品前出陳列用具と、この商品前出陳列用具が配され、且つこの用具のクリップが引っ掛けられて使用されるケースとより成ることを特徴とする商品前出し陳列装置。
【考案の詳細な説明】
【技術分野】
【０００１】
この考案は、陳列された商品を後方から前方へ押し出す働きをし、商品を取り出す毎に後方から残りの商品を押し出す商品前出し陳列用具及びこれを用いた商品前出し陳列装置に関する。
【背景技術】
【０００２】
陳列商品の押し出し装置として、色々な形態のものがあり、例えば特許文献１、特許文献２などに開示されている。特許文献１に示されているものは、商品を押し出す手段として渦巻状の板ばね３１を用いて商品保持具２を前方へスライドさせて、商品を前方へ順次押し出していた。この商品保持具２は、商品Ｍを収納するケース本体１内に配され、このケース本体１の巾方向は予め収納される商品別に定められ、巾に合わない商品には使用出来ず、商品別に商品陳列ケースが製作されていた。
【特許文献１】特公昭６３−６１００７
【特許文献２】特開平１１−３４２０５４
【０００３】
その不都合を解決するため、商品のサイズに合わせて設定できるようにした商品陳列ユニットが前述の特許文献２に示されている。この例ではケースに形成の長孔１４に可動板２１が摺動自在に配され、しかも弾性体２７で引っ張られると共に、仕切板７は位置決め設定器３の線状溝３１に差し込まれ、この差し込み位置を適宜に定めることで、隣り合う仕切板７同志間の巾を適宜に選択することができる。即ち、商品サイズ巾に合わせて設定可能となっている。
【考案の開示】
【考案が解決しようとする課題】
【０００４】
前記した特許文献２にあって商品の巾に添う仕切板が選択されるようになるが、これとて、線状溝３１の間隙があり、市販品では４．５ｍｍ程度と粗いので商品の巾に対して最大で４．５ｍｍの広すぎる損失巾が発生し、横に並んだ商品同士の間隔にバラツキが発生したり、あきすぎなど、商品を前出ししても不揃いな印象をお客様に与える他、店舗の展示効率を下げてしまう不都合があった。
【０００５】
そこで、この考案は、商品の巾に合わせて商品前出し陳列用具のレール間（商品の収納区画巾）を適切に無段階に任意に設定できるようにした商品前出し陳列用具ならびにこれを用いた商品前出し陳列装置を提供する。
【課題を解決するための手段】
【０００６】
この考案に係る商品前出し陳列用具は、長手方向に２つの摺動部を持つレールと、基部が前記レールに係合し該レールから直角方向に突出する押部を持つ押し板と、この押し板を前記レールの一端方向へ引っ張るばねと、前記レールの両端に設けられるクリップとより成ることにある（請求項１）。
【０００７】
これにより、商品前出し陳列用具が、その使用されるケースの側壁にクリップにより引っ掛けられて用いられることから、左右方向へスライドさせて商品の巾に合うように設定ができ、損失巾の減少が図られる。また商品前出し陳列用具が請求項２に示すように使用ばねの実施例に対応した構成としても良い（請求項２）。これによっても、請求項１と同様な作用を有することになる。
【０００８】
前記クリップは、商品前出し陳列用具が収納されるケースの前後壁に取付られる引掛部を備えていることにある（請求項３）。即ち、引掛部でケースの前後壁に引掛られる。
【０００９】
前記引掛部を構成する逆Ｕ字状に形成の部材の一部に弾性作用を持たせたことにある（請求項４）。これにより、商品前出し陳列用具が商品の巾方向にずれることや、商品の抜き取り動作により、一緒に持ち上げられることを防いでいる。
【００１０】
また、前記クリップは、前記引掛部と前記レールとの間に弾性作用を持つ弾性手段を設けたことにある（請求項５）。これにより、商品前出し陳列用具の長さの誤差や、ケースの長さの誤差の吸収を図ることができる。またこの弾性手段の弾性作用で両クリップをケースの両側壁に押し付けて保持力も得られる。さらに弾性手段として弾性素材で作られ中空の部材であるか（請求項６）、またはコイルばねが用いられ（請求項７）、さらに前記引掛部に複数段折り曲げた部材を付加して形成したことにある（請求項８）。
【００１１】
また、この考案の商品前出し陳列装置は、前記請求項１又は２記載の商品前出し陳列用具と、この商品前出し陳列用具が配され、且つこの用具のクリップが引っ掛けられて使用されるケースとで成っている（請求項９）。
【考案の効果】
【００１２】
以上のように、この考案によれば、以下の効果を奏するものである。請求項１によれば、商品前出し陳列用具が、その使用されるケースの前後壁に両端のクリップにより引っ掛けられて用いられる。これにより商品前出し陳列用具がケースの左右方向に自由に移動させることができて、商品の巾に合わせて商品収納区画を定めることができる。これにより、巾方向の損失がなくなる利点を持つ。
【００１３】
請求項２によれば、商品前出し陳列具を使用するばね、即ちうず巻きばねが収納されるべき構成として押し板にばね収納室を作り、ばねによる引っ張力を付与できるようにした商品前出し陳列具としているが、このような商品前出し陳列具の両端にクリップを装着して前記請求項１と同様な効果が得られる。
【００１４】
請求項３によれば、前記クリップは、引掛部でケースの前後壁に引掛けられる構成で、商品前出し陳列用具との装着が容易である。また引掛部により容易にケースの前後壁に引掛られる。
【００１５】
請求項４によれば、逆Ｕ字状の部材の一部に弾性作用を持たせたことから、ケースの前後壁に挟持して取付られ、該商品前出し用具が商品の巾方向にずれることや商品の抜き取り動作により、一緒に持ち上げられることを防いでいる。
【００１６】
請求項５によれば、弾性手段により、商品前出し陳列用具の長さの誤差や、ケースの長さの誤差の吸収を図ることができる。また、この弾性手段の弾性作用で両クリップをケースの両側面に押し付けて面圧を高め、保持力をアップさせる。これにより、商品前出し陳列用具が商品の抜き取り動作により一緒に持ち上げられることの防止にも効果を発生させる。
【００１７】
請求項６によれば、弾性手段が中空の部材であることから、クリップの成形加工時に同時成形が可能となる。請求項７によれば、弾性手段としてコイルばねが用いられ、また請求項８によれば引掛部の部材を複数段に折り曲げて形成している。
【００１８】
請求項９によれば、請求項１又は２に記載の商品前出し陳列用具と、この商品前出し陳列用具が配され、且つこの用具のクリップが引っ掛けられて使用されるケースとで商品前出し陳列装置が構成され、商品の巾方向を商品別に添うように適宜最適に変更ができるもので、商品の収納区画を最適巾に選定でき、巾方向のむだを排除できる装置を提供できるものである。
【考案を実施するための最良の形態】
【００１９】
以下、この考案の実施例を図面にもとづいて説明する。
【実施例１】
【００２０】
図１乃至図３において、この考案に係る商品前出し陳列装置１が示され、樹脂ケース２は矩形状で、底面とその上方に立設する４つ前後壁３ａ，３ｃ及び左右壁３ｂ，３ｄとより構成されている。そして対向する前壁３ａと後壁３ｃには、下記する仕切板兼用式及び平置き式の商品前出し陳列用具５，６が引っ掛けられて配設されている。この仕切板兼用式の商品前出し陳列用具５、平置き式の商品前出し陳列用具６により商品が陳列され、且つ前出しされる。
【００２１】
仕切板兼用式の商品前出し陳列用具５は、図１に示す樹脂のケース２の左側に３個並設され、また平置き式の商品前出し陳列用具６は、このケース２の右側に２個並設されている。商品前出し陳列用具５は、レール１０と、このレール１０の一端に嵌着のばね取付具１１と、前記レール１０上を移動する押し板１３と、前記押し板１３内に設けられ、一端が前記ばね取付具１１に係止するばね１４とより成る商品前出し陳列具１５と、この商品前出し陳列具１５の両端に装着されるクリップ２９，２９とより成っている。
【００２２】
前記レール１０は、アルミニウム又は樹脂製で、長手方向に添う並設の２つの摺動部１６ａ，１６ｂと、この摺動部１６ａ，１６ｂ間に凹み１７を持ち、一端に前記凹み１７を利用して前記したばね取付具１１が嵌め込まれている。前記した摺動部１６ａ，１６ｂは、平板の長手方向の両側端を内側に折り曲げて作り出されると共に、一対の溝３８，３８も形成される。
【００２３】
ばね取付具１１は、前記レール１０の端に前記凹み１７を用いて嵌着可能な形状とすると共に、中心にばね１４が挿入される挿入孔１９と、ばね１４の先端を引っ掛ける係止片（図示せず）が設けられている。このばね取付具１１の反レール側面に２つの穴２０，２０が形成されている。
【００２４】
押し板１３は、前記レール１０の摺動部１６ａ，１６ｂ上に載置される基部２２と、この基部２２から突出する押部２３とより成り、前記基部２２は左右方向へ突出する挟持部２４を持ち、前記摺動部１６ａ，１６ｂを挟持して、押し板１３をレール１０上に摺動可能に立設せしめている。
【００２５】
押部２３は、その背面に補強板２６，２６が設けられ、該補強板２６，２６間にばね収納室２７が設けられている。このばね収納室２７内にうず巻状のばね１４が収納され、その先端が前記したばね取付具１１に係止されている。したがって、押し板１３は常時ばね１４により引っ張られ、図２に示すように、ばね取付具１１に接するまでレール１０上を摺動される。
【００２６】
ばね１４は、巻きぐせが付けられた板状のうず巻きばねで、先端に孔（図示せず）持ち、前記したばね取付具１１に係止されている。この実施例では定荷重ばねが採用されているが、一般のコイルばねなどを用いて押し板１３を引っ張るようにしても良い。
【００２７】
以上商品前出し陳列具１５を説明したが、最後に前方及び後方のクリップ２９，２９を説明すると、図４ａ，ｂにも拡大して図示したごとく、前記レール１０に取付られる装着手段３２と、商品前出し陳列用具５が収納されるケース２の前後壁３ａ，３ｃに引っ掛けられる引掛部３４と、その両者間に設けられた弾性作用を持つ弾性手段３６とより成っている。
【００２８】
前記装着手段３２として、前方のクリップ２９では、一対にピン３２ａ，３２ｂより成り、前記したレール１０の一端に嵌着のばね取付具１１に形成の穴２０，２０に挿入され、また後方のクリップ２９では、板状突起３２ｃより成り、レール１０の摺動部１６ａ，１６ｂが形成する凹部１７及び溝３８，３８に挿入される。前記引掛部３４は、逆Ｕ字状に形成され、ケース２の前後壁３ａ，３ｃの内側に接触の接触面３４ａと外側に接触の接触面３４ｂとで構成され、両面間に取付溝３５が形成されている。前記接触面３４ａには、ずれを防ぐための吸着粘着部材を貼着することが好ましい。尚、前記後方のクリップ２９の装着手段３２として板状突起３２ｃが採用されているが、前方のクリップ２９の装着手段である一対のピン３２ａ，３２ｂにしても良い。
【００２９】
前記弾性手段３６は、装着手段３２と引掛部３４との間にあり、弾性素材で作られ中心軸方向に中空孔４０を有し、伸びたり又は縮んだりすることから、商品前出し陳列用具５特にレール１０の長手方向の長さの誤差や、ケースの長さの誤差を吸収することができる。さらに、弾性手段３６が長手方向に伸びることから、接触面３４ａの面圧が高られ、商品の取り出しの際に該商品前出し陳列用具５が一緒に持ち上げられる現象の防止が図られる。
【００３０】
上述の構成において、陳列する商品の巾に、商品前出し陳列用具５をケース２に設置する。即ち、クリップ２９，２９を前後壁３ａ，３ｃに掛止する。そして、商品巾に合う収納区画を作り出す。それから、押し板１３をばね１４に抗して後退させ、しかる後に商品（図１に２点削線で示す）を収納区画内に収納する。その後、押し板１３を商品の背後から押圧させる。最後に商品前出し陳列用具５を前後壁３ａ，３ｃに添う方向（図１に示す左右方向）に押圧して商品収納区画に商品巾方向すき間なくし、商品の陳列を終了する。即ち、商品収納区画の巾は図１の左側よりＷ１，Ｗ２，Ｗ３，Ｗ４となり、それらは商品別に最適巾で、徐々に大きくなっている。そして、商品が前方より取り出されると、抜けた商品の厚み分だけ押し板１３にて後方の商品が前方へ押し出され、常に商品は前出しされる。
【００３１】
図５乃至図７において、クリップ２９の他の例が示されている。これにあっても、レール１０に取付られる装着手段３２と、商品前出し陳列用具５が収納されるケース２の前後壁３ａ，３ｃに引っ掛けられる引掛部３４と、その両者間に設けられた弾性作用を持つ伸縮手段３６とより成っている。
【００３２】
図５（ａ），（ｂ）の実施例では、引掛部３４の接触面３４ａに、凹凸部４２を多数形成して側壁３ａ，３ｃの内側との抵抗を増大させたものであり、また、接触面３４ｂは、他の接触面３４ａ側にたわんでいる形状で、これもケース２の前後壁３ａ，３ｃとの抵抗増を図ったものである。その他の装着手段３２及び弾性手段３６は前記した実施例と同一のため図に同一番号を付して説明を省略する。
【００３３】
図６の実施例では、弾性手段３６を前記した実施例と相違してコイルばね４４を用いたものである。その他の装着手段３２及び引掛部３４は前記した実施例と同一のため図に同一番号を付して説明を省略する。
【００３４】
図７の実施例では、弾性手段３６として、引掛部３４に連続して複数段折り曲げて（実施例では一段）可動片４７を形成し、該可動片４７の引掛部３４の接続部にヒンジ４６を形成している。その他の装着手段３２及び引掛部３４は前記した実施例と同一のため同一番号を付して説明を省略する。
【００３５】
図１及び図８において、この考案とは直接の関係はないが、平置き式の商品前出し陳列用具６も同時に用いられることから、以下説明する。この例においても、レール５０と、このレール５０の一端に嵌着のばね取付具５１と、前記レール５０上を移動する押し板５３と、この押し板５３内に設けられ、一端が前記ばね取付具５１に係止するばね５４とより成る商品前出し陳列具５５と、この商品前出し陳列具５５の両端に装着されるクリップ５８とより成っている。
【００３６】
前記レール５０は前述の仕切板兼用式の商品前出し陳列用具５に用いられたレール１０と同等なもので、アルミニウム又は樹脂製で、長手方向に添う並設の２つの摺動部５６ａ，５６ｂ間に凹み５７を持ち、一端に前記凹み５７を利用して前述したばね取付具５１が嵌め込まれている。前記した摺動部５６ａ，５６ｂは、平板の長手方向の両側端を内側に折り曲げて作り出されると共に、一対の溝６１，６１も形成される。
【００３７】
ばね取付具５１は、前記レール５０の端に前記凹みを用いて嵌着可能な形状とすると共に、中心にばね５４が挿入される挿入孔５９と、ばね５４の先端を引っ掛ける係止片（図示せず）が設けられている。このばね取付具５１のレールとは反対側面に２つの穴６０，６０が形成されている。
【００３８】
押し板５３は、前記レール５０の摺動部５６ａ，５６ｂ上に載置される基部６２と、この基部６２から突出する押部６３とより成り、前記基部６２は左右方向へ突出する挟持部６４を持ち、前記摺動部５６ａ，５６ｂを挟持して、押し板５３をレール５０上に摺動可能に立設せしめている。
【００３９】
押部６３は、その背面に補強板６６，６６が設けられ、該補強板６６，６６間にばね収納室６７が設けられている。このばね収納室６７内にうず巻状のばね５４が収納され、その先端が前記したばね取付具５１に係止されている。したがって、押し板５３は常時ばね５４により引っ張られ、図１に示すように、ばね取付具５１に接するまでレール上を摺動される。
【００４０】
ばね５４は、巻きぐせが付けられた板状のうず巻きばねで、先端に孔（図示せず）持ち、前記したばね取付具５１に係止されている。この実施例では定荷重ばねが採用されているが、一般のコイルばねなどを用いて押し板５３を引っ張るようにしても良い。
【００４１】
以上商品前出し陳列具５５を説明したが、最後にクリップ５８を説明すると、前記レール５０に取付られる装着手段７２と、平置き式の商品前出し陳列用具６が収納されるケース２の前後壁３ａ，３ｃに引っ掛けられる引掛部７４と、その両者間に設けられた弾性作用を持つ弾性手段７６とより成っている。
【００４２】
前記装着手段７２として、一対にピン７２ａ，７２ｂより成り、前記したレール５０の一端に嵌着のばね取付具５１に形成の穴６０，６０に挿入され、またレールの他端では該レール５０の摺動部５６ａ，５６ｂが形成する溝６１，６１に挿入される。前記引掛部７４は、逆Ｕ字状に形成され、ケース２の前後壁３ａ，３ｃの内側に接触の接触面７４ａと外側に接触の接触面７４ｂとで構成され、両面間に取付溝７５が形成されている。前記接触面７４ａにはずれを防ぐための吸着粘着部材が貼着することが好ましい。
【００４３】
前記弾性手段７６は、装着手段７２と引掛部７４との間にあり、弾性素材で作られ中心軸方向に中空孔８０を有し、伸びたり又は縮んだりすることから、商品前出し陳列用具６特にレール５０の長手方向の長さの誤差や、ケース２の長さの誤差を吸収することができる。さらに、弾性手段７６が長手方向に伸びることから、接触面７４ａの面圧が高められ、商品の取り出しの際に該商品前出し陳列用具６が一緒に持ち上げられる現象の防止が図られる。
【００４４】
上述の構成において、ケース２に仕切板８４により、又は仕切板兼用式の商品前出し陳列用具５により作り出された商品収納区画に平置き式の商品前出し陳列用具６を設置する。即ち、クリップ５８，５８を前後壁３ａ，３ｃに掛止する。しかる後に商品を収納区画内に収納する。その後、押し板５３を商品の背後から押圧させる。これにより、商品が前方より取り出されると、抜けた商品の厚み分だけ押し板５３にて後方の商品が前方へ押し出され、常に商品は前出しされる。
【実施例２】
【００４５】
図９において、商品前出し陳列用具５の第２の実施例が示されている。この実施例２ではレール１０の両端に設けられているクリップ２９，２９を一体化して製造しており、この点が前記した実施例と相違するものである。即ち、樹脂により一体成形している。この例にあっても、クリップ２９とレール１０との間に弾性手段３６を有している。この弾性手段３６は中空孔４０を形成して作り出している。この実施例２にあっても前記実施例１と同様な作用効果を有している。なお、前記実施例１と同一の部分は同一符号を付して説明を省略する。
【図面の簡単な説明】
【００４６】
【図１】この考案の実施例を示し、商品前出し陳列装置の斜視図である。
【図２】この考案の実施例を示し、仕切板兼用式の商品前出し陳列用具の斜視図である。
【図３】同上のクリップと仕切板兼用式の商品前出し陳列具との分解斜視図である。
【図４】図４（ａ）は同上の前方のクリップの斜視図であり、図４（ｂ）は後方のクリップの斜視図である。
【図５】図５（ａ）はクリップの他の実施例の側面図であり、図５（ｂ）は同の背面図である。
【図６】クリップの他の実施例の側面図である。
【図７】クリップのさらに他の実施例の側面図である。
【図８】平置き式の商品前出し陳列用具の分解斜視図である。
【図９】商品前出し陳列用具の他の実施例を示す斜視図である。
【符号の説明】
【００４７】
１  商品前出し陳列装置
２  ケース
３ａ，３ｃ  前後壁
３ｂ，３ｄ  左右壁
５  仕切板兼用式の商品前出し陳列用具
６  平置き式の商品前出し陳列用具
１０  レール
１１  ばね取付具
１３  押し板
１４  ばね
１５  商品前出し陳列具
１６ａ，１６ｂ  摺動部
２０  穴
２２  基部
２３  押部
２４  挟持部
２７  ばね収納室
２９  クリップ
３２  装着手段
３４  引掛部
３５  取付溝
３６  弾性手段
４０  中空孔
４２  凹凸部
４４  コイルばね
４６  ヒンジ部
５０  レール
５３  押し板
５４  ばね
５５  商品前出し陳列具
５８  クリップ
７２  装着手段
７４  引掛部
７６  弾性手段
８０  中空孔
８４  仕切板
【図１】
0003115289.tif 000003
【図２】
0003115289.tif 000004
【図３】
0003115289.tif 000005
【図４】
0003115289.tif 000006
【図５】
0003115289.tif 000007
【図６】
0003115289.tif 000008
【図７】
0003115289.tif 000009
【図８】
0003115289.tif 000010
【図９】
0003115289.tif 000011